(57)【要約】【課題】他の基地局装置との間の同期の状態を把握し、同期の状態に応じて適切に干渉を回避するための処理を行うことができる管理装置、通信システム、基地局装置、及び管理方法を提供する。【解決手段】本発明の通信システムは、複数のフェムトＢＳ１ｂと、複数の基地局装置１から送信される基地局間同期に関する同期情報を受信し管理する管理装置としての機能を有するマクロＢＳ１ａとを備えている。また、マクロＢＳ１ａは、前記同期情報を、自装置、又は、管理サーバ８のいずれで管理するかを選択する管理部２７を備えている。【選択図】図４
2012080509.tif 000002
【特許請求の範囲】
【請求項１】
複数の基地局装置を備えた通信システムに設けられる管理装置であって、
前記複数の基地局装置から送信される基地局間同期に関する同期情報を受信する受信部と、
前記受信部が受信した前記同期情報を管理する管理部とを備えていることを特徴とする管理装置。
【請求項２】
自装置が管理する前記同期情報に基づいて前記複数の基地局装置の間の干渉を回避するための干渉回避処理を行う干渉制御部をさらに備えている請求項１に記載の管理装置。
【請求項３】
基地局装置としての機能をさらに備えている請求項１又は２に記載の管理装置。
【請求項４】
前記同期情報を、自装置、又は自装置以外に前記通信システムに設けられた他の管理装置のいずれで管理するかを選択する選択部をさらに備えている請求項１〜３のいずれか一項に記載の管理装置。
【請求項５】
前記選択部は、自装置又は前記他の管理装置の内、いずれか一方を優先的に選択する請求項４に記載の管理装置。
【請求項６】
前記同期情報は、前記複数の基地局装置が自装置の内部クロックを同期させているクロック同期対象を含む請求項１〜５のいずれか一項に記載の管理装置。
【請求項７】
前記同期情報は、前記複数の基地局装置の内の一の基地局装置の通信タイミングと、前記一の基地局装置以外の他の基地局装置の通信タイミングとの間のタイミングオフセット量を含む請求項１〜５のいずれか一項に記載の管理装置。
【請求項８】
複数の基地局装置を備えた通信システムであって、
前記複数の基地局装置から送信される基地局間同期に関する同期情報を受信し管理する管理装置を備えていることを特徴とする通信システム。
【請求項９】
基地局間同期に関する同期情報を、当該同期情報を管理する管理装置に向けて送信する送信部を備えていることを特徴とする基地局装置。
【請求項１０】
基地局装置を備えた通信システムにおける基地局間同期に関する同期情報を管理するための管理方法であって、
前記基地局装置が、前記同期情報を管理する管理装置に向けて前記同期情報を送信するステップと、
前記同期情報を受信した前記管理装置が当該同期情報を管理するステップと、を含むことを特徴とする管理方法。
【発明の詳細な説明】
【技術分野】
【０００１】
本発明は、管理装置、及びこれを用いた通信システム、基地局装置、管理方法に関するものである。
【背景技術】
【０００２】
複数の基地局装置を備えた無線通信システムにおいて、当該複数の基地局装置それぞれにより設定される通信エリア（セル）が重複している場合、ある基地局装置から送信された信号が、近傍の他の基地局装置のセル内にある端末装置に届いてしまい、その端末装置にとって干渉信号となることがある。
【０００３】
このような干渉は、ビームフォーミングにより抑制できることは良く知られている。つまり、自セル内の端末装置（以下、自己の端末装置ともいう）にはビームを向けつつも、他の基地局装置のセル内にある端末装置（以下、他の端末装置ともいう）には、ヌルビームを向けるようにビームフォーミングを行うことで、自基地局装置からの信号（干渉信号）が他の端末装置に届きにくくなり、干渉が抑制される（なお、ビームフォーミングについては、非特許文献１参照）。
【先行技術文献】
【非特許文献】
【０００４】
【非特許文献１】菊間信良著、「アレーアンテナによる適応信号処理」、科学技術出版、１９９８年１１月２５日
【発明の概要】
【発明が解決しようとする課題】
【０００５】
ところで、上記無線通信システムでは、基地局装置として、例えば、数キロメートルの大きさのセル（マクロセル）を形成するマクロ基地局装置と、前記マクロセル内に設置され数十メートル程度の比較的小さなセル（フェムトセル）を当該マクロセル内に形成するフェムト基地局装置とを備えたものがある。
【０００６】
上記無線通信システムでは、フェムト基地局装置が形成するフェムトセルは、マクロセル内に形成されることがあり、そのほぼ全域がマクロセルと重複することがある。さらに、フェムト基地局装置は、ユーザによってマクロセル内で任意の場所に設置されることがある。
このため、フェムト基地局装置の下り信号が、マクロ基地局装置に接続する端末装置に干渉を与えたり、フェムト基地局装置に接続する端末装置が送信する上り信号が、マクロ基地局装置に干渉を与えたりすることがある。
また、互いに隣接してフェムトセルを形成する複数のフェムト基地局装置及びそれに接続する端末装置が、相互に干渉を与える場合もある。
【０００７】
このように、干渉を生じさせるケースが多様となることが考えられることから、基地局装置が上記ビームフォーミングを利用したとしても、上記のような多様な状況に対して好適に干渉を抑制することが困難な場合があった。
【０００８】
上記のような干渉の内、マクロ基地局装置に接続する端末装置が、フェムト基地局装置の近傍に位置することで当該フェムト基地局装置の下り信号から干渉を受ける場合については、マクロ基地局装置に接続する端末装置に割り当てられるリソースと、フェムト基地局装置が使用するリソースとを互いに周波数方向、又は時間方向に異ならせることが考えられる。このように設定することで、互いの下り信号が重複するのを回避でき、干渉を回避できる。
【０００９】
ここで、周波数方向に使用するリソースをずらす場合、以下のような不都合が生じるおそれがある。すなわち、例えば、無線通信システムがＬＴＥを採用している場合においては、制御信号等が格納される制御チャネルが、各下りサブフレームの先頭かつ当該サブフレームの周波数全域に亘って配置されているので、一方の基地局装置と、他方の基地局装置との間で、たとえ互いに異なる周波数帯域でリソース割り当てを行ったとしても、当該制御チャネルは、互いに全域で重複し干渉が生じるおそれがある。制御チャネルを用いて送信される制御信号が互いに干渉すれば、これを受信する端末装置は、サブフレームに含まれるユーザデータを含むデータ信号を正常に認識できないおそれがある。
さらに、データ信号についても、双方で互いに異なる周波数帯域でリソース割り当てを行ったとしても、時間領域でみると、両データ信号は重複しているので、一方のデータ信号の受信電力が他方のデータ信号のそれよりも極端に小さければ、一方のデータ信号を正常に分離して受信することが困難となるおそれもある。
このように、使用するリソースを互いに周波数方向にずらす場合には、完全に両基地局装置間の干渉を抑制できないおそれがあるため、両基地局装置間で送信信号の電力を相対的に調整することも必要となる。
【００１０】
これに対して、互いに使用するリソースを時間方向にずらす場合には、時間領域での両データ信号の重複は生じえない。また、制御信号についても、リソースが割り当てられていない時間のサブフレームの制御チャネルには、実質的に制御信号が送信されることがないため、両基地局装置間で送信信号の電力調整を行うことなく、他方の制御信号に干渉を与えるのを抑制することができる。
ただし、リソース割り当てを互いに時間方向にずらすには、両基地局装置間で無線フレームの送信タイミングが同期している必要がある。
【００１１】
以上のように、マクロ基地局装置に接続する端末装置が、その近傍のフェムト基地局装置からの下り信号によって受ける干渉を抑制するには、両基地局装置の間における互いの同期の状態を把握し、その同期の状態に応じて適切な処理を行うことが必要であると言える。
しかし、例えば、マクロ基地局装置のセル内に多数のフェムト基地局装置が存在している場合、当該マクロ基地局装置は、これら多数のフェムト基地局装置との間における同期状態を把握し管理に関する処理を行う必要がある。このため、マクロ基地局装置には、同期状態を管理するための処理負荷が過大にかかる場合があり、適切に同期状態の管理を行えないおそれがある。
【００１２】
そこで、本発明は、基地局装置における同期の状態を適切に把握し管理することができる管理装置、通信システム、基地局装置、及び管理方法を提供することを目的とする。
【課題を解決するための手段】
【００１３】
（１）本発明は、複数の基地局装置を備えた通信システムに設けられる管理装置であって、前記複数の基地局装置から送信される基地局間同期に関する同期情報を受信する受信部と、前記受信部が受信した前記同期情報を管理する管理部とを備えていることを特徴としている。
上記構成の管理装置によれば、受信部が受信した同期情報を管理する管理部を備えているので、各基地局装置の同期状態を把握することができる。
なお、ここでいう同期状態とは、基地局間同期の基準となる同期対象や、同期対象に対する無線フレームの送信タイミングのオフセット量等、基地局間同期における条件設定やパラメータを示す。
【００１４】
（２）上記管理装置は、自装置が管理する前記同期情報に基づいて前記複数の基地局装置の間の干渉を回避するための干渉回避処理を行う干渉制御部をさらに備えていることが好ましい。
この場合、干渉制御部によって、各基地局装置における同期状態に応じた適切な干渉回避処理を実行することができる。
【００１５】
（３）また、上記管理装置は、基地局装置としての機能をさらに備えていてもよく、この場合、同期情報の授受が容易となる。
【００１６】
（４）また、上記管理装置は、前記同期情報を、自装置、又は自装置以外に前記通信システムに設けられた他の管理装置のいずれで管理するかを選択する選択部をさらに備えていてもよい。
この場合、選択部が、自装置又は他の管理装置のいずれかを選択することによって、自装置と、他の管理装置とで管理に関する処理負担を分散させることができる。この結果、管理処理を行う上での過大な負荷が自装置に作用するのを抑制することができ、基地局装置における同期状態を適切に管理することができる。
【００１７】
（５）前記選択部は、自装置又は前記他の管理装置の内、いずれか一方を優先的に選択するものであってもよく、この場合、自装置又は他の管理装置の処理能力に応じて好適に同期情報を管理することができる装置を選択でき、より効果的に自装置における負荷を抑制することができる。
【００１８】
（６）（７）また、前記同期情報は、前記複数の基地局装置が自装置の内部クロックを同期させているクロック同期対象を含んでいてもよく、さらに、前記同期情報は、前記複数の基地局装置の内の一の基地局装置の通信タイミングと、前記一の基地局装置以外の他の基地局装置の通信タイミングとの間のタイミングオフセット量を含んでいてもよい。
【００１９】
（８）また、本発明は、複数の基地局装置を備えた通信システムであって、前記複数の基地局装置から送信される基地局間同期に関する同期情報を受信し管理する管理装置を備えていることを特徴としている。
【００２０】
上記構成の通信システムによれば、複数の基地局装置の同期情報を管理する管理装置を備えているので、各基地局装置の同期状態を把握することができる。
【００２１】
前記管理装置は、自装置が管理する前記同期情報に基づいて前記複数の基地局装置の間の干渉を回避するための干渉回避処理を行う干渉制御部を備えていることが好ましい。
この場合、干渉制御部によって、各基地局装置における同期状態に応じた適切な干渉回避処理を実行することができる。
また、上記通信システムにおいて、前記管理装置は、基地局装置としての機能を備えていてもよく、この場合、同期情報の授受が容易となる。
【００２２】
（９）また、本発明の基地局装置は、基地局間同期に関する同期情報を、当該同期情報を管理する管理装置に向けて送信する送信部を備えていることを特徴としている。
上記構成の基地局装置によれば、同期情報を管理する管理装置に向けて送信する送信部を備えているので、各基地局装置の同期状態を管理装置に把握させることができる。
【００２３】
（１０）基地局装置を備えた通信システムにおける基地局間同期に関する同期情報を管理するための管理方法であって、前記基地局装置が、前記同期情報を管理する管理装置に向けて前記同期情報を送信するステップと、前記同期情報を受信した前記管理装置が当該同期情報を管理するステップと、を含むことを特徴としている。
上記構成の管理方法によれば、同期情報を受信した管理装置が当該同期情報を管理するので、この管理装置によって各基地局装置の同期状態を把握することができる。
【発明の効果】
【００２４】
本発明によれば、基地局装置における同期の状態を適切に把握し管理することができる。
【図面の簡単な説明】
【００２５】
【図１】本発明の実施形態に係る基地局装置を備えた無線通信システムの全体構成である。
【図２】各ＢＳの通信網の態様を示す図である。
【図３】ＬＴＥの下りリンクの無線フレーム（ＤＬフレーム））の構造の概略図である。
【図４】マクロ基地局装置の構成を示すブロック図である。
【図５】マクロ基地局装置が、フェムト基地局装置の管理モードを設定する処理を示すフローチャートである。
【図６】マクロ基地局装置と、直接管理モードに設定されたフェムト基地局装置との間で行われる基地局間同期の同期状態の管理に関する処理手順を示す図である。
【図７】同期要求に含まれる要求メッセージの内容を示す図である。
【図８】同期情報に含まれるレポートメッセージの内容を示す図である。
【図９】検知されたフェムト基地局装置が間接管理モードに設定された場合の基地局間同期の同期状態の管理に関する処理手順を示す図である。
【図１０】マクロ基地局装置が、直接管理モードに設定されたフェムト基地局装置との間で行う干渉回避処理に関する処理手順を示す図である。
【図１１】マクロ基地局装置が、自装置に接続する端末装置の中から、フェムト基地局装置近傍に位置する端末装置を検出する処理を説明するための図である。
【図１２】図１中、マクロ基地局装置が、自装置に接続する複数の端末装置に対してメジャメントを要求した場合における、当該マクロ基地局装置に送信される測定結果の一例を示す図である。
【図１３】（ａ）は、図１におけるマクロ基地局装置と、フェムト基地局装置との間で無線フレームのタイミング同期がとれていない場合における、両基地局装置が行うリソース割当の一例を示す図、（ｂ）は、図１における基地局装置と、フェムト基地局装置との間で無線フレームのタイミング同期がとれている場合における、両基地局装置が行うリソース割当の一例を示す図である。
【図１４】マクロ基地局装置が、間接管理モードに設定されたフェムト基地局装置との間で行う干渉回避処理に関する処理手順を示す図である。
【発明を実施するための形態】
【００２６】
以下、本発明の好ましい実施形態について添付図面を参照しながら説明する。
［１．通信システムの構成］
図１は、本発明の実施形態に係る基地局装置を備えた無線通信システムの全体構成である。本実施形態の無線通信システムは、例えば、ＬＴＥ（Ｌｏｎｇ  Ｔｅｒｍ  Ｅｖｏｌｕｔｉｏｎ）が適用される携帯電話用のシステムであり、各基地局装置と、端末装置との間において、ＬＴＥに準拠した通信が行われる。ただし、通信方式は、ＬＴＥに限られるものではない。
【００２７】
この無線通信システムは、複数の基地局装置１と、いずれかの基地局装置１に対して無線接続して、通信を行うことができる端末装置２（移動端末：Ｍｏｂｉｌｅ  Ｓｔａｔｉｏｎ）とを備えている。
【００２８】
上記無線通信システムが備える基地局装置１としては、例えば数キロメートルの大きさの通信エリア（マクロセル）ＭＣを形成するマクロ基地局装置（Ｍａｃｒｏ  Ｂａｓｅ  Ｓｔａｔｉｏｎ）１ａのほか、マクロセルＭＣ内などに設置され数十メートル程度の比較的小さなフェムトセルＦＣを形成する複数のフェムト基地局装置（Ｆｅｍｔｏ  Ｂａｓｅ  Ｓｔａｔｉｏｎ）１ｂが設けられている。なお、図例では、説明を容易とするため、フェムト基地局装置１ｂについては、マクロ基地局装置１ａ（ＭＢＳ１）のマクロセルＭＣ内に設置されているフェムト基地局装置１ｂ（ＦＢＳ１）のみを示している。
【００２９】
マクロ基地局装置（以下、「マクロＢＳ」ともいう。）１ａは、自己のマクロセルＭＣ内にある端末装置２との間で無線通信を行うことができる。
また、フェムト基地局装置（以下、「フェムトＢＳ」ともいう）１ｂは、例えば、屋内等、マクロＢＳ１ａの無線波を受信し難い場所等に配置され、上記フェムトセルＦＣを形成する。
【００３０】
フェムトＢＳ１ｂは、自己が形成するフェムトセルＦＣ内にある端末装置（以下、「ＭＳ」ともいう）２との間で無線通信が可能である。本システムでは、マクロＢＳ１ａの無線波が受信し難い場所等においても、その場所に比較的小さいフェムトセルＦＣを形成するフェムトＢＳ１ｂを設置することで、ＭＳ２に対して十分なスループットでのサービスの提供を可能にする。
【００３１】
図１において、ＭＳ２ａ，ＭＳ２ｂ，ＭＳ２ｃは、マクロＢＳ１ａ（ＭＢＳ１）に接続しており、ＭＳ２ｄは、フェムトＢＳ１ｂ（ＦＢＳ１）に接続しているものとする。
ここで、ＭＳ２が、フェムトＢＳ１ｂと接続するためには、予め当該フェムトＢＳ１ｂに登録されていることが必要であり、登録されていなければ、図１中のＭＳ２ａのように、フェムトセルＦＣ内に位置しているとしても、フェムトＢＳ１ｂとは接続できず、マクロＢＳ１ａと接続する。
【００３２】
図２は、各ＢＳの通信網の態様を示す図である。各マクロＢＳ１ａは、ＭＭＥ（Ｍｏｂｉｌｉｔｙ  Ｍａｎａｇｅｍｅｎｔ  Ｅｎｔｉｔｙ）３を介して、当該無線通信システムの通信網４に接続されている。ＭＭＥ３は、各ＭＳ２の位置等の管理を行い、各ＭＳ２の移動管理についての処理を行うノードである。
各フェムトＢＳ１ｂは、ゲートウェイ５（ＧＷ）を介してＭＭＥ３に接続されている。ＭＭＥ３と各マクロＢＳ１ａとの間、ＭＭＥ３とゲートウェイ５との間、ゲートウェイ５とフェムトＢＳ１ｂとの間は、それぞれＳ１インターフェースと呼ばれる通信インターフェースによる回線６によって接続されている。
【００３３】
さらに、各マクロＢＳ１ａは、Ｘ２インターフェースと呼ばれる基地局間通信インターフェースによる回線７によって接続されており、基地局装置間で直接的に情報交換のための通信が可能とされている。また、ゲートウェイ５も、Ｘ２インターフェースによる回線７によってマクロＢＳ１ａに接続されている。
このＸ２インターフェースは、各基地局装置間で移動する各ＭＳ２におけるハンドオーバ等の移動管理についての情報等を交換する目的で設けられている。なお、このような機能はＭＭＥ３の機能と重複するが、ＭＭＥ３が各マクロＢＳ１ａに接続するＭＳ２についての移動管理を一元的に行うと処理が集中に膨大な処理量となる点、及び、移動管理について、基地局装置間で行った方がより効率的である点といった理由から、基地局装置間で通信を行うためのＸ２インターフェースが設けられている。
【００３４】
また、本実施形態において、マクロＢＳ１ａと、フェムトＢＳ１ｂとは、それぞれ、管理サーバ８に接続されている。この管理サーバ８は、各マクロＢＳ１ａのセル内に位置するフェムトＢＳ１ｂにおけるＭＳ２の移動管理や、基地局間同期に関する状況を集中的に管理するための装置であり、マクロＢＳ１ａごとに必要に応じて設置される。管理サーバ８は、マクロＢＳ１ａ及びフェムトＢＳ１ｂに対してＩＰ通信可能に接続される。
この管理サーバ８は、マクロＢＳ１ａのセル内に存在するフェムトＢＳ１ｂが増加することで、マクロＢＳ１ａにおける、フェムトＢＳ１ｂとの間で行われる移動管理等の処理量が増大したときに、その処理の一部又は全部をマクロＢＳ１ａに代わって補完的に処理するために設けられる。従って、自セル内に存在するフェムトＢＳ１ｂが比較的少なくマクロＢＳ１ａの処理能力で処理可能な場合には、管理サーバ８を設置する必要はない。
【００３５】
なお、図２において、ＭＭＥ３に直接接続されるマクロＢＳ１ａは、ｅＮＢ（Ｅｖｏｌｖｅｄ  ＮｏｄｅＢ）と、ゲートウェイ５は、Ｈｏｍｅ−ｅＮＢＧａｔｅｗａｙと、フェムトＢＳ１ｂは、Ｈｏｍｅ−ｅＮＢと称されることがある。
【００３６】
［２．ＬＴＥのフレーム構造］
本無線通信システムにおいて適用されるＬＴＥでは、周波数分割複信（ＦＤＤ）方式が採用されており、上り信号（端末装置から基地局装置への送信信号）と、下り信号（基地局装置から端末装置への送信信号）との間で、互いに異なる使用周波数を割り当てることで、上り通信と下り通信とを同時に行うことができる。
【００３７】
図３は、ＬＴＥの下りリンクの無線フレーム（ＤＬフレーム））の構造の概略を示している。１つのＤＬフレームは、１０個のサブフレームを時間軸方向に並べて構成されている（なお、図３は、１つのＤＬフレームの一部を示している）。１個のサブフレームは、時間軸方向に１４ＯＦＤＭシンボル分の長さ（＝１ｍｓｅｃ）を有し、周波数帯域幅が最大２０ＭＨｚである。
【００３８】
各サブフレームは、その先頭に、制御情報（Ｃｏｎｔｒｏｌ  Ｉｎｆｏｒｍａｔｉｏｎ）が格納される制御領域が確保されており、その後に、ユーザデータが格納されるＰＤＳＣＨ（ＰＤＳＣＨ：Ｐｈｙｓｉｃａｌ  Ｄｏｗｎｌｉｎｋ  Ｓｈａｒｅｄ  Ｃｈａｎｎｅｌ）が確保されている。制御領域は、時間軸方向に最大で３シンボル、周波数軸方向に各サブフレームの周波数帯域幅全域に亘って確保されている。
【００３９】
前記制御領域には、下り及び上りリンクの割当情報等を送信するための下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）が確保される。上記ＰＤＣＣＨは、前記割当情報のほか、上り送信電力制限値の情報や、下りのＣＱＩ（Ｃｈａｎｎｅｌ  Ｑｕａｌｉｔｙ  Ｉｎｄｉｃａｔｏｒ）についての報告の指示等に関する情報を含んでいる。なお、ＰＤＣＣＨの大きさは、制御情報の大きさに応じて変化する。
【００４０】
なお、制御領域には、ＰＤＣＣＨのほか、ＰＤＣＣＨに関する情報を通知するための制御チャネル構成指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＵＳＣＨに対するハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）の受信成功通知（ＡＣＫ：Ａｃｋｎｏｗｌｅｄｇｅｍｅｎｔ）、受信失敗通知（ＮＡＣＫ：Ｎｅｇａｔｉｖｅ  Ａｃｋｎｏｗｌｅｄｇｅｍｅｎｔ）を送信するためのハイブリッドＡＲＱ指示チャネル（ＰＨＩＣＨ：Ｐｈｙｓｉｃａｌ  Ｈｙｂｒｉｄ−ＡＲＱ  Ｉｎｄｉｃａｔｏｒ  Ｃｈａｎｎｅｌ）も割り当てられる。
【００４１】
ユーザデータ等が格納されるＰＤＳＣＨは、複数の端末装置で共有して用いられるエリアであり、ユーザデータの他、各端末装置個別の制御情報等も格納される。
このＰＤＳＣＨは、データ伝送の上での基本単位領域（無線リソース割り当ての最小単位）であるリソースブロック（ＲＢ：Ｒｅｓｏｕｒｃｅ  Ｂｌｏｃｋ）を複数有して構成されている。リソースブロックは、周波数軸方向に１２サブキャリア、時間軸方向に７ＯＦＤＭシンボル分の大きさを有している。
【００４２】
ＤＬフレームの周波数帯域幅が１０ＭＨｚに設定されている場合、６００個のサブキャリアが配列される。したがって、１つのサブフレーム中に、リソースブロックは、周波数軸方向に５０個配置されることになり、１つのサブフレーム中における時間軸方向のリソースブロックの数は２個配置される。
【００４３】
また、１つのＤＬフレームを構成する１０個のサブフレームの内、先頭（一番目）のサブフレーム、及び六番目のサブフレームの所定の位置に既知信号からなる同期信号が割り当てられている。
【００４４】
基地局装置１は、無線リソースであるリソースブロックの端末装置への割り当て及びリソースブロック毎の送信電力値を決定する機能を有している。また、ＬＴＥの上りリンクの無線フレーム（ＵＬフレーム）も、ＤＬフレームと同様に、複数のリソースブロックを有しており、ＤＬフレームのリソースブロックの端末装置への割り当ても、基地局装置１によって決定される。
【００４５】
基地局装置１が決定した下り及び上りのリソースブロック割り当ては、割当情報としてＰＤＣＣＨに格納され、基地局装置１から端末装置２へ送信される。基地局装置１及び端末装置２は、決定された割り当て情報に従って、リソースブロックを使用して通信を行う。
【００４６】
［３．基地局装置の構成］
図４は、マクロＢＳ１ａの構成を示すブロック図である。ここでは、マクロＢＳ１ａの構成について説明するが、フェムトＢＳ１ｂの構成も、基本的にはマクロＢＳ１ａと同様の構成を有している。
【００４７】
マクロＢＳ１ａは、アンテナ１１と、アンテナ１１が接続された送受信部（ＲＦ部）１０と、ＲＦ部１０との間で授受が行われる、ＭＳ２間における送受信信号の信号処理のほか、他のセル（他の基地局装置又は端末装置）に与える干渉を抑制する処理や、他の基地局装置（特にフェムトＢＳ１ｂ）の同期状態等の包括的な管理を行う信号処理部２０とを備えている。なお、フェムトＢＳ１ｂは、他の基地局装置の包括的管理を行う機能については必要ないため、備えていない場合がある。
【００４８】
ＲＦ部１０は、上り信号受信部１２、下り信号受信部１３、及び送信部１４を備えている。上り信号受信部１２は、ＭＳ２からの上り信号を受信するためのものである。下り信号受信部１３は、他のマクロＢＳ１ａ又は他のフェムトＢＳ１ｂからの下り信号を受信するためのものである。送信部１４は、ＭＳ２へ下り信号を送信するためのものである。
【００４９】
本実施形態において、下り信号受信部１３は、他の基地局装置１の下り信号の傍受や、当該下り信号の観測（メジャメント）のために用いられる。下り信号受信部１３から出力された下り受信信号は、信号処理部２０に与えられ、メジャメント部２１又は図示しない復調部によって処理される。
【００５０】
信号処理部２０は、各種の情報を生成可能なプロセッサ（マイコン）により構成されており、メジャメントを行うメジャメント部２１、リソース割当部２２、及び同期処理部２３を機能的に備えている。
メジャメント部２１は、定期的にメジャメントを行い、下り信号受信部１３が受信した他の基地局装置１の下り受信信号に基づいて、当該他の基地局装置１における送信電力や使用周波数、無線フレームのタイミングを示す同期信号等を取得する。また、他の基地局装置１に付されている固有のＩＤであるセルＩＤ等を取得し当該他の基地局装置１を特定する機能も有している。
【００５１】
リソース割当部２２は、自装置の上り及び下りの各サブフレームに関し、自装置に無線接続する各ＭＳ２へのリソースブロックの割り当てを行う。また、リソース割当部２２は、自装置の下り送信信号の送信電力及び自装置１に接続する端末装置２の上り送信信号の送信電力を、リソースブロックごとに設定する機能も有している。
【００５２】
リソース割当部２２は、他の基地局装置１との間の同期状態に応じて自装置又は他の基地局装置１の制御部２４（後に述べる）や、管理サーバ８が決定する自装置が使用可能な範囲内のリソースを用いて、自装置に接続する各ＭＳ２に対するリソース割当を行う。
【００５３】
同期処理部２３は、他の基地局装置の無線通信に対して基地局間同期をとる同期処理を行う機能を有している。具体的には、同期処理部２３は、所定の基準クロックに対して自己の内部クロックを補正して、自己の無線フレームの時間方向の長さを調整する機能と、自己の無線フレームの通信タイミングを調整する機能を有している。
同期処理部２３は、制御部２４から与えられる基準クロックに応じて、その基準クロックで定まる無線フレームの長さとなるように、自己の無線フレームの長さを同期させる（クロック同期）。
また、同期処理部２３は、制御部２４から与えられる基準となる無線フレームのタイミングと一致するように、自己の無線フレームのタイミングを同期させる（タイミング同期）。
【００５４】
同期処理部２３は、メジャメント部２１が取得した他の基地局装置の下り信号に含まれる同期信号を利用して当該他の基地局装置の下り信号の無線フレームのタイミングを取得し、上記の同期処理（エア同期）を行うこともできるし、後述するＩＰインターフェース２９又はＸ２インターフェース３０を介した通信により得られる情報に基づいて上述の同期処理を行うこともできる。
【００５５】
信号処理部２０は、さらに、他の基地局装置１との間の同期や干渉回避に関する処理の制御を行う制御部２４と、他の基地局装置１に関する情報等を記憶するための記憶部２５と、自装置に接続するＭＳ２の内、他の基地局装置１の下り信号によって干渉を受けるおそれがある程度に他の基地局装置１の近傍に位置するＭＳ２を検出する検出部２６と、記憶部２５に記憶された他の基地局装置１の情報の包括的な管理を行う管理部２７と、ＩＰインターフェース２９を介して管理サーバ８とＩＰ通信するとともにＸ２インターフェース３０を介して他の基地局装置１と基地局間通信を行うための送受信部２８とを備えている。
【００５６】
なお、Ｘ２インターフェースによる基地局装置間通信は、基地局装置の間を直接接続して行う方法や、ゲートウェイを経由して基地局装置の間を接続して行う方法等、複数通りの方法が考えられる。
本実施形態のフェムトＢＳ１ｂでは、図２に示すように、他の基地局装置１との間で、直接的にＸ２インターフェースによる通信回線が設置されていない。このため、本実施形態のフェムトＢＳ１ｂは、Ｘ２インタフェースによって直接基地局装置間通信を行うのではなく、ゲートウェイ５までを接続するＳ１インターフェースによる通信回線６及びゲートウェイ５を経由し、他の基地局装置１との間でＸ２インターフェースによる基地局装置間通信を行う方法を採る。以下、特に説明しないが、フェムトＢＳ１ｂの場合、基地局装置間通信を行うための送受信部２７，２８は、ゲートウェイ５を経由して他の基地局装置１との間でＸ２インターフェースによる基地局装置間通信を行うことを前提として説明する。
【００５７】
制御部２４は、自装置のクロック同期及びタイミング同期をとるための基準となる同期対象を決定し、その基準クロックや基準タイミングを同期処理部２３に出力する機能を有している。
また、制御部２４は、自装置を同期対象として基地局間同期をすることを他の基地局装置１に対して要求する同期要求を生成し、管理部２７及び送受信部２８を介して当該他の基地局装置１に向けて送信する機能を有している。
【００５８】
さらに、同期対象を決定して当該同期対象との間で同期を行った場合、または、他の基地局装置１等の他の装置からの要求に応じて、制御部２４は、自装置の同期状態に関する同期情報を、管理部２７に出力するとともに、管理部２７及び送受信部２８を介して当該他の基地局装置１又は管理サーバ８に送信する機能を有している。
【００５９】
また、制御部２４は、他の基地局装置１との間で干渉を回避するための干渉回避処理を行う機能を有している。
制御部２４は、他の基地局装置１に対して、干渉を回避するための空きリソースを設けることを要求し、自装置においては前記空きリソースに対応するリソースを、他の基地局装置１との間で干渉を生じさせる可能性のあるＭＳ２に対して割り当てることで、互いの干渉を回避しうる干渉回避処理を行う。
制御部２４は、他の基地局装置１に空きリソースを設けさせるために、前記空きリソースを設けることを要求する処理要求を生成し、管理部２７及び送受信部２８を介して他の基地局装置１に送信する。
【００６０】
制御部２４は、上記処理要求を生成するに当たって、他の基地局装置１の同期情報に基づいて、他の基地局装置１が自装置との間でタイミング同期がとれているか否かを判断する。制御部２４は、その判断結果に応じて、要求する空きリソースの態様を決定する。
なお、制御部２４は、他の基地局装置１の同期情報を管理部２７から取得する。
【００６１】
より具体的には、制御部２４は、他の基地局装置１が自装置との間でタイミング同期がとれていないと判断するときは、他の基地局装置１による、周波数方向における一部の帯域幅に属するリソースの使用を禁止し、空きリソースが時間方向に連続的に存在する態様となるように決定する。
【００６２】
一方、他の基地局装置１が自装置との間でタイミング同期がとれていると判断するときは、制御部２４は、他の基地局装置１による、時間方向における所定の範囲に属するリソースの使用を禁止し、空きリソースを所定の時間単位で確保して、空きリソースが時間方向に点在する態様となるように決定する。
【００６３】
このように、制御部２４は、干渉回避処理の実行を要求するための処理要求を、他の基地局装置の同期情報に基づいて生成し、管理部２７及び送受信部２８を介して他の基地局装置に向けて送信する機能を有している。
なお、上記各情報の他、制御部２４から出力される各種情報は、管理部２７に出力されるとともに、管理部２７及び送受信部２８を介して他の基地局装置１又は管理サーバ８に送信される。
【００６４】
記憶部２５には、自装置の近隣に位置する他の基地局装置１を特定するためのセルＩＤ等の情報が登録されたネイバーリスト２５ａが記憶されている。このネイバーリスト２５ａには、自装置１ａの近隣に位置すると特定されている基地局装置１について予め入力して登録することもできるし、自装置１ａのメジャメント部２１により特定された他の基地局装置１や、自装置１ａに接続する端末装置に周辺セルのメジャメント（後に述べる）によって特定された基地局装置１を登録することもできる。
【００６５】
管理部２７は、記憶部２５に記憶されたネイバーリスト２５ａや、他の基地局装置１に関する情報を管理することで、他の基地局装置１（特にフェムトＢＳ１ｂ）における端末装置の移動管理や同期状態等の包括的な管理を行う機能を有している。なお、以下の説明では、管理部２７が行う管理処理の内、同期状態の管理についてのみ着目して説明する。
管理部２７は、外部からの入力、又は、メジャメント等によって他の基地局装置１が特定（検知）されると、ネイバーリスト２５ａに当該他の基地局装置１を登録する。ネイバーリスト２５ａに当該他の基地局装置１（以下、この特定された他の基地局装置を特定基地局装置１ともいう）を登録すると、管理部２７は、特定基地局装置１に関する同期状態の管理について、自装置１ａが管理するか（直接管理モード）、又は管理サーバ８が管理するか（間接管理モード）を選択する。なお、管理サーバ８も、後述するように、管理部２７と同様の他の基地局装置１に関する包括的な管理機能を有している。
【００６６】
例えば、特定基地局装置１について直接管理モードを選択すると、管理部２７は、制御部２４が出力する、特定基地局装置１に対して送信すべき上述の同期要求や、処理要求をＸ２インターフェース３０を介して特定基地局装置１に送信する。またこの場合、管理部２７は、特定基地局装置１が自装置１ａによる管理が選択された旨の通知を、当該特定基地局装置１に送信する。
前記通知を受けた特定基地局装置１は、Ｘ２インターフェースを介した基地局間通信によって、同期情報をマクロＢＳ１ａに送信する。
管理部２７は、前記通知に応じて特定基地局装置１が送信した同期情報を取得すると、当該同期情報をネイバーリスト２５ａ中の特定基地局装置１を特定するための情報等と関連付けて記憶部２５に記憶し、管理する。
【００６７】
一方、特定基地局装置１について間接管理モードを選択すると、管理部２７は、特定基地局装置１が管理サーバ８による管理が選択された旨の通知を、当該特定基地局装置１に送信する。
前記通知を受けた特定基地局装置１は、ＩＰインターフェースを介した通信によって、同期情報を管理サーバ８に送信する。
【００６８】
管理サーバ８は、複数の基地局装置１の同期情報等を管理するための管理リストを備えており、上述の間接管理モードが選択された特定基地局装置１からの同期情報を受信すると、当該管理リストに、当該特定基地局装置１のセルＩＤ等の特定基地局装置１を特定するための情報と、同期情報とを関連付けて登録し、管理する。
【００６９】
以上のように、マクロＢＳ１ａは、管理部２７と記憶部２５とを備えることによって、フェムトＢＳ１ｂから送信される同期情報を受信し管理する管理装置を構成している。また、管理サーバ８についても、基地局装置１からの同期情報を受信し管理する管理装置を構成している。また、マクロＢＳ１ａの管理部２７は、他の基地局装置１の同期情報を、自装置１ａ、又は管理サーバ８のいずれで管理するかを選択する選択部としての機能を備えている。
【００７０】
なお、フェムトＢＳ１ｂにおいては、上述の他の基地局装置１の管理機能が必要ないため、管理部２７を備えていない場合がある。この場合、制御部２４が、記憶部２５に記憶された各種情報の管理及び同期情報や同期要求の送受信に関する処理を行う。
【００７１】
検出部２６は、自装置に接続する各ＭＳ２に対して、周辺セルのメジャメント（下り信号の観測）を要求し、各ＭＳ２から送信されるメジャメントの結果としての受信電力の測定結果に基づいて、各ＭＳ２とその周辺の他の基地局装置１との位置関係を把握し、他の基地局装置１の下り信号によって干渉を受けるおそれがある程度に他の基地局装置１の近傍に位置するＭＳ２を検出する。
【００７２】
［４．  管理サーバについて］
管理サーバ８は、各種の情報処理が可能なプロセッサや、処理に係る情報を記憶可能な記憶部等により構成されたコンピュータよりなる装置であり、上述のように、各マクロＢＳ１ａのセル内に位置するフェムトＢＳ１ｂにおけるＭＳ２の移動管理や、基地局間同期に関する状況を集中的に管理する機能を有している。特に、上述のように、複数の基地局装置１の同期情報等を管理するための管理リストを備えており、各基地局装置１の同期情報を登録することで、同期状態の管理を行うことができる。
管理サーバ８は、上述のように、マクロＢＳ１ａが行う処理の一部又は全部をマクロＢＳ１ａに代わって補完的に処理することを目的とした装置であるため、一般に、基地局装置１よりも高い処理能力を有している。
【００７３】
また、管理サーバ８は、間接管理モードが選択されたフェムトＢＳ１ｂと、マクロＢＳ１ａとの間で、ＩＰ通信によって、同期処理や、干渉回避処理に関する情報の送受信を行う機能も有している。さらに、管理サーバ８は、マクロＢＳ１ａとフェムトＢＳ１ｂとの間の情報の送受信の中継を行うこともできる。
【００７４】
さらに、管理サーバ８は、上記マクロＢＳ１ａの制御部２４の有する機能と同様の干渉回避処理を行う機能を有している。すなわち、管理サーバ８は、マクロＢＳ１ａから送信される干渉回避処理の実行要求に基づいて、当該マクロＢＳ１ａと、当該管理サーバ８が管理する基地局装置１との間で干渉を回避するために設定される、タイミング同期がとれているか否かに応じた空きリソースの態様の決定や、干渉回避処理を要求するための処理要求を生成し、対象の基地局装置１に送信する機能も有している。
【００７５】
［５．  管理モードの設定について］
マクロＢＳ１ａは、他の基地局装置１（特にフェムトＢＳ１ｂ）との間で干渉回避処理を行うために、当該他の基地局装置１における基地局間同期の同期状態を管理するための処理を行う。
マクロＢＳ１ａは、他の基地局装置１の同期状態を管理するための処理を行うに当たって、上述の管理モードを選択し設定する。
図５は、マクロＢＳ１ａが、フェムトＢＳ１ｂの管理モードを設定する処理を示すフローチャートである。
まず、マクロＢＳ１ａ（の管理部２７）は、自装置１ａのセル内及びセル周辺に他の基地局装置１としてのフェムトＢＳ１ｂがメジャメント部２１等により検知されたか否かを判断する（ステップＳ１）。
フェムトＢＳ１ｂが検知されない場合には、マクロＢＳ１ａは、再度ステップＳ１による判断を繰り返す。
【００７６】
ステップＳ１において、フェムトＢＳ１ｂが検知されたと判断すると、マクロＢＳ１ａは、記憶部２５に記憶されているネイバーリスト２５ａを参照し、その検知されたフェムトＢＳ１ｂのセルＩＤが登録されているか否かを確認する。上記フェムトＢＳ１ｂがネイバーリスト２５ａに登録されていない場合には、マクロＢＳ１ａは、当該フェムトＢＳ１ｂをネイバーリスト２５ａに登録する。
【００７７】
次いで、マクロＢＳ１ａは、自装置１ａに接続している管理サーバ８が存在しているか否かを判断する（ステップＳ２）。
管理サーバ８が存在しないと判断する場合、マクロＢＳ１ａは、検知されたフェムトＢＳ１ｂの管理モードを直接管理モードに設定する（ステップＳ３）。
一方、管理サーバ８が存在すると判断する場合、マクロＢＳ１ａの管理部２７は、管理サーバ８が、検知されたフェムトＢＳ１ｂを管理可能か否かを判断する（ステップＳ４）。
管理可能と判断した場合、マクロＢＳ１ａは、検知されたフェムトＢＳ１ｂの管理モードを間接管理モードに設定する（ステップＳ５）。
管理できないと判断した場合、マクロＢＳ１ａは、検知されたフェムトＢＳ１ｂの管理モードを直接管理モードに設定する（ステップＳ３）。
【００７８】
なお、マクロＢＳ１ａは、一度管理サーバ８が存在していると判断すれば、以降、ステップＳ１からステップＳ４に進むように処理する。また、マクロＢＳ１ａは、管理サーバ８の存在を確認すると、自装置１ａの同期状態に関する同期情報を管理サーバ８に送信する。これにより、マクロＢＳ１ａは、管理サーバ８の管理リストにその同期情報とともに登録され、管理される。
【００７９】
また、上記ステップＳ４においてマクロＢＳ１ａが行う、管理サーバ８が検知されたフェムトＢＳ１ｂを管理可能か否かの判断は、マクロＢＳ１ａが管理サーバ８に当該管理サーバ８の管理の状況について問い合わせ、その管理状況に応じて判断される。例えば、管理サーバ８が現状それ以上に基地局装置１を管理できない数量に達している場合には、マクロＢＳ１ａは、管理サーバ８においては管理できないと判断し直接管理モードに決定する。
ステップＳ４において上記のように判断することで、マクロＢＳ１ａは、検知されたフェムトＢＳ１ｂの管理について、管理サーバ８に優先的に行わせる。
【００８０】
以上のようにして、マクロＢＳ１ａは、検知されたフェムトＢＳ１ｂについての管理モードを設定する。マクロＢＳ１ａは、決定した管理モードを、記憶部２５のネイバーリスト２５ａにおける、検知されたフェムトＢＳ１ｂのセルＩＤに関連付けて記憶する。
【００８１】
［６．  同期状態の管理について］
次に、マクロＢＳ１ａと、フェムトＢＳ１ｂとの間で行われる基地局間同期の同期状態の管理について説明する。
［６．１  直接管理モードであるフェムト基地局装置の管理］
図６は、マクロ基地局装置と、フェムト基地局装置との間で行われる基地局間同期の同期状態の管理に関する処理手順を示す図である。図６では、図１中のマクロＢＳ１ａ（ＭＢＳ１）のマクロセルＭＣ内に、フェムトＢＳ１ｂ（ＦＢＳ１）を設置し、このフェムトＢＳ１ｂの管理モードが直接管理モードに設定される場合について説明する。
【００８２】
まず、フェムトＢＳ１ｂが設置、起動されると（ステップＳ１０１）、当該フェムトＢＳ１ｂは、自装置の周囲にフェムトセルＦＣを形成する。
マクロＢＳ１ａは、メジャメント部２１による他の基地局装置１の下り信号のメジャメントにより、フェムトＢＳ１ｂが起動することにより開始した下り信号を受信する。マクロＢＳ１ａは、この下り信号に基づいて、フェムトＢＳ１ｂのセルＩＤ等を取得し当該フェムトＢＳ１ｂを特定（検知）する。マクロＢＳ１ａは、検知されたフェムトＢＳ１ｂについて管理モードを設定する。ここでは、検知されたフェムトＢＳ１ｂに対して直接管理モードが設定されたものとする（ステップＳ１０２）。
【００８３】
次いで、マクロＢＳ１ａは、フェムトＢＳ１ｂが検知されたことに応じて、フェムトＢＳ１ｂに対して自装置１ａを同期対象として基地局間同期をすることを要求する同期要求を生成し、Ｘ２インターフェースを介した基地局装置間通信によって当該同期要求を送信する（ステップＳ１０３）。また、マクロＢＳ１ａは、同期要求とともに間接管理モードが選択された旨、すなわちこのフェムトＢＳ１ｂの同期状態の管理がマクロＢＳ１ａにより行われることを基地局間通信によって通知する。
【００８４】
図７は、上記同期要求に含まれる要求メッセージの内容を示す図である。同期要求は、図７に示す各要求メッセージにより構成されている。
各要求メッセージの内、「Ｓｙｎｃｈｒｏｎｉｚａｔｉｏｎ  Ｔａｒｇｅｔ」は、クロック同期における同期対象を指定するためのメッセージであり、メッセージの態様としては、「ｌｔｅ」（自装置１ａを同期対象に指定する場合）、「ｇｐｓ」（ＧＮＳＳ（ＧＰＳ，Ｇａｌｉｌｅｏ，ＧＬＯＮＡＳＳ）を同期対象に指定する場合）、「ｉｅｅｅ１５８８」（ＩＥＥＥ１５８８を用いて同期する場合）、「ｎｔｐ」（ＮＴＰサーバを同期対象に指定する場合）、「ｔｖ」（テレビ信号を同期対象に指定する場合）が設けられており、これらの内いずれか一つが指定される。
【００８５】
「Ｔｉｍｉｎｇ  Ｏｆｆｓｅｔ」は、同期対象としての自装置であるマクロＢＳ１ａと、他の基地局装置であるフェムトＢＳ１ｂとの間の無線フレームのタイミング同期におけるオフセット量を示すメッセージである。メッセージの態様は整数であり、その単位は、時間（μｓ）、シンボル、サブフレーム、無線フレームのいずれかで表される。
このメッセージを受けたフェムトＢＳ１ｂは、マクロＢＳ１ａとの間でタイミング同期をとることを決定した場合には、当該メッセージで示されるオフセット量に基づいて、同期処理を行うことができる。
なお、マクロＢＳ１ａは、自己の下り信号受信部１３を用いて受信したフェムトＢＳ１ｂの下り信号に含まれる同期信号からフェムトＢＳ１ｂのフレームタイミングを認識し、上記オフセット量を求めることができる。
【００８６】
「Ｔｉｍｉｎｇ  Ａｃｃｕｒａｃｙ」は、タイミング同期についての要求精度を示すメッセージであり、その態様は整数（単位は時間（μｓ））である。
【００８７】
フェムトＢＳ１ｂが、自己の下り信号受信部１３を用いて受信した他の基地局装置の下り信号から得られる、当該他の基地局装置の無線フレームのタイミングを用いて同期を行う（エア同期）場合には、「Ａｉｒ  Ｓｙｎｃｈｒｏｎｉｚａｔｉｏｎ  Ｉｎｆｏｒｍａｔｉｏｎ」として区分される「Ｔａｒｇｅｔ  Ｃｅｌｌ  ＩＤ」、及び「Ｒｅｃｅｉｖｅｄ  Ｐｏｗｅｒ  Ｔｈｒｅｓｈｏｌｄ」が要求メッセージとして含められる。
「Ｔａｒｇｅｔ  Ｃｅｌｌ  ＩＤ」は、フレームタイミング同期の同期対象を指定するメッセージであり、基本的には、自装置１ａのセルＩＤとされる。また、「Ｒｅｃｅｉｖｅｄ  Ｐｏｗｅｒ  Ｔｈｒｅｓｈｏｌｄ」は、「Ｔａｒｇｅｔ  Ｃｅｌｌ  ＩＤ」により指定される基地局装置からの受信電力に対する、エア同期を行うか否かの判断をするための閾値である。この閾値よりも前記受信電力が大きければ、エア同期を許容することを示している。
【００８８】
マクロＢＳ１ａは、フェムトＢＳ１ｂに対して、上記のような同期要求を送信することで、同期対象を指定した上で基地局間同期を要求することができる。
なお、図７では、同期対象（特に「Ｔａｒｇｅｔ  Ｃｅｌｌ  ＩＤ」）をセルＩＤで示しているが、同期対象を示す方法として、明示的にセルＩＤで指定するものには限られない。例えば、同期対象のアドレスでもよいし、予め設定された複数の同期対象それぞれに割り当てられた数値番号や記号等によって同期対象を示すこともできる。
【００８９】
図６に戻って、上記管理モードに関する通知を受信したフェムトＢＳ１ｂは、自装置１ｂの管理がマクロＢＳ１ａによってなされることを認識する。
また、上記同期要求を受信したフェムトＢＳ１ｂは、これに含まれる要求メッセージに基づきマクロＢＳ１ａを同期対象として基地局間同期するか否かを決定する。
フェムトＢＳ１ｂは、マクロＢＳ１ａを同期対象とした基地局間同期を行うことを決定し、上記「Ｔｉｍｉｎｇ  Ｏｆｆｓｅｔ」を用いて自己のフレームタイミングを調整するか又はエア同期によって同期処理を行うと（ステップＳ１０４）、自己の同期状態に関する同期情報をマクロＢＳ１ａに対して送信する（ステップＳ１０５）。
フェムトＢＳ１ｂは、マクロＢＳ１ａに対し、ゲートウェイ５（図２）を介することでＸ２インターフェースによる基地局装置間通信を行い、上記同期情報を送信する。
【００９０】
図８は、上記同期情報に含まれるレポートメッセージの内容を示す図である。同期情報は、図８に示す各レポートメッセージにより構成されている。各レポートメッセージ及びその態様は、図７に示した同期要求と同様であり、同期処理を行った同期対象や、現状のタイミングオフセット量等、フェムトＢＳ１ｂが同期処理を行った後の状態を示している。
【００９１】
マクロＢＳ１ａは、フェムトＢＳ１ｂから送信される上記同期情報によって、フェムトＢＳ１ｂが基地局間同期を行った際の同期対象を把握することができる。
なお、図８においても、同期対象（特に「Ｔａｒｇｅｔ  Ｃｅｌｌ  ＩＤ」）をセルＩＤで示しているが、同期対象のアドレスでもよいし、予め設定された複数の同期対象それぞれに割り当てられた数値番号や記号等によって同期対象を示すこともできる。
【００９２】
図６に戻って、同期情報を受信したマクロＢＳ１ａは、受信した同期情報をネイバーリスト２５ａのフェムトＢＳ１ｂのセルＩＤと関連付けて、自己の記憶部２５に記憶する。これにより、マクロＢＳ１ａは、フェムトＢＳ１ｂの同期状態について管理することができる（ステップＳ１０６）。
【００９３】
なお、フェムトＢＳ１ｂがステップＳ１０４において、マクロＢＳ１ａを同期対象とせず、例えばマクロＢＳ１ａ以外の他の基地局装置を同期対象として基地局間同期を行った場合も、フェムトＢＳ１ｂは、その現状の同期状態を示す同期情報をマクロＢＳ１ａに送信する。つまり、フェムトＢＳ１ｂは、同期要求を受けた基地局装置に対しては、その同期要求に応じて基地局間同期を行った否かに関わらず、同期情報をマクロＢＳ１ａに送信する。
【００９４】
［６．２  間接管理モードであるフェムト基地局装置の管理］
次に、フェムトＢＳ１ｂの管理モードが間接管理モードに設定される場合について説明する。
図９は、検知されたフェムトＢＳ１ｂが間接管理モードに設定された場合の基地局間同期の同期状態の管理に関する処理手順を示す図である。
【００９５】
図９において、フェムトＢＳ１ｂが設置、起動されると（ステップＳ１１０）、図６の場合と同様に、マクロＢＳ１ａは、検知されたフェムトＢＳ１ｂについて管理モードを設定する。ここでは、検知されたフェムトＢＳ１ｂに対して間接管理モードが設定されたものとする（ステップＳ１１１）。
【００９６】
次いで、マクロＢＳ１ａは、Ｘ２インターフェースを介した基地局間通信によって、フェムトＢＳ１ｂに対して、間接管理モードが選択された旨、すなわちこのフェムトＢＳ１ｂの同期状態の管理が管理サーバ８により行われることを通知する。また、マクロＢＳ１ａは、フェムトＢＳ１ｂが検知されたことに応じて、フェムトＢＳ１ｂに対して基地局間同期を要求する同期要求を生成し、生成した同期要求を前記通知とともに基地局間通信により送信する（ステップＳ１１２）。なお、この同期要求は、図７にて示した内容と同様である。
【００９７】
上記管理モードに関する通知を受信したフェムトＢＳ１ｂは、自装置１ａの管理が管理サーバ８によってなされることを認識する。
また、上記同期要求を受信したフェムトＢＳ１ｂは、これに含まれる要求メッセージに基づきマクロＢＳ１ａを同期対象として基地局間同期するか否かを決定する。
フェムトＢＳ１ｂは、マクロＢＳ１ａを同期対象とした基地局間同期を行うことを決定すると、上記「Ｔｉｍｉｎｇ  Ｏｆｆｓｅｔ」を用いて自己のフレームタイミングを調整するか又はエア同期によって同期処理を行う（ステップＳ１１３）。
次いで、フェムトＢＳ１ｂは、自装置１ａの管理を行うと認識する管理サーバ８に対して、自装置１ｂの同期状態に関する同期情報をＩＰインターフェースによる通信によって送信する（ステップＳ１１４）。なお、この同期情報は、図８にて示した内容と同様である。
【００９８】
同期情報を受信した管理サーバ８は、受信した同期情報を自己の管理リストに当該フェムトＢＳ１ｂのセルＩＤと関連付けて登録し、記憶する。これにより、管理サーバ８は、フェムトＢＳ１ｂの同期状態について管理することができる（ステップＳ１１５）。
さらに、管理サーバ８は、フェムトＢＳ１ｂがマクロＢＳ１ａを同期対象として同期したことをマクロＢＳ１ａに対して送信する（ステップＳ１１６）。これにより、マクロＢＳ１ａは、検知されたフェムトＢＳ１ｂが自装置１ａに同期したことを認識することができる。
【００９９】
なお、フェムトＢＳ１ｂがステップＳ１１３において、マクロＢＳ１ａを同期対象とせず、例えばマクロＢＳ１ａ以外の他の基地局装置を同期対象として基地局間同期を行った場合も、フェムトＢＳ１ｂは、その現状の同期状態を示す同期情報を管理サーバ８に送信する。つまり、フェムトＢＳ１ｂは、同期要求を受けた基地局装置に対しては、その同期要求に応じて基地局間同期を行った否かに関わらず、同期情報を管理サーバ８に送信する。
【０１００】
このように本実施形態のマクロＢＳ１ａによれば、フェムトＢＳ１ｂ等の各基地局装置１の同期情報を管理する管理装置としてのマクロＢＳ１ａ及び管理サーバ８を備えているので、各基地局装置１の同期状態を把握し、管理することができる。
【０１０１】
また、本実施形態のマクロＢＳ１ａでは、同期情報を、自装置１ａ、又は、管理サーバ８のいずれで管理するかを選択する選択部としての管理部２７を備えているので、自装置１ａと、管理サーバ８とで管理に関する処理負担を分散させることができる。この結果、管理処理を行う上での過大な負荷が自装置１ａに作用するのを抑制することができ、フェムトＢＳ１ｂ等の他の基地局装置１における同期状態を適切に管理することができる。
【０１０２】
さらに、本実施形態では、図５中のステップＳ４において、マクロＢＳ１ａは、フェムトＢＳ１ｂの管理について、一般にマクロＢＳ１ａよりも高い処理能力を有している管理サーバ８に優先的に選択するので、より効果的に自装置における負荷を抑制することができる。
【０１０３】
［７．  干渉回避処理について］
次に、マクロＢＳ１ａが、フェムトＢＳ１ｂとの間で行う干渉回避処理について説明する。
［７．１  直接管理モードであるフェムト基地局装置との間の干渉回避処理］
図１０は、マクロＢＳ１ａが、直接管理モードに設定されたフェムトＢＳ１ｂとの間で行う干渉回避処理に関する処理手順を示す図である。なお、図１０においても図６と同様、図１中のマクロＢＳ１ａ（ＭＢＳ１）のマクロセルＭＣ内に、フェムトＢＳ１ｂ（ＦＢＳ１）を設置した場合について説明する。
【０１０４】
マクロＢＳ１ａは、自装置１ａに接続するＭＳ２の中から、フェムトＢＳ１ｂの近傍に位置しているＭＳ２が存在しているか否かを検出する（ステップＳ２０１）。
【０１０５】
図１１は、マクロＢＳ１ａが、自装置１ａに接続するＭＳ２の中から、フェムトＢＳ１ｂ近傍に位置するＭＳ２を検出する処理を説明するための図である。
マクロＢＳ１ａは、まず、自装置１ａに接続する各ＭＳ２に対して、周辺セルのメジャメント（下り信号の観測）を要求する（ステップＳ３０１）。
この要求には、マクロＢＳ１ａが有する上述のネイバーリスト２５ａが含められている。このメジャメントの要求を受けた各ＭＳ２は、ネイバーリスト２５ａにある各基地局装置からの下り信号の受信を試み、その受信電力を測定する。
各ＭＳ２は、各基地局装置の受信電力の測定結果をマクロＢＳ１ａに送信する（ステップＳ３０３）。
【０１０６】
図１２は、図１中、マクロＢＳ１ａ（ＭＢＳ１）が、自装置１ａに接続するＭＳ２ａ、ＭＳ２ｂ、及びＭＳ２ｃに対してメジャメントを要求した場合における、当該マクロＢＳ１ａ（ＭＢＳ１）に送信される測定結果の一例を示す図である。測定結果は、ネイバーリスト２５ａにある基地局装置のセルＩＤと、測定した受信電力とが関連付けて示される。
なお、各基地局装置１のセルＩＤは、図１中、各基地局装置１に付されている「ＭＢＳ２」、「ＦＢＳ１」であるものとして示している。また、図１中、ＭＳ２ａからマクロＢＳ１ａ（ＭＢＳ２）までの距離と、ＭＳ２ｂからマクロＢＳ１ａ（ＭＢＳ２）までの距離とがほぼ同じであるものとし、ＭＳ２ｃからフェムトＢＳ１ｂ（ＦＢＳ１）までの距離は、ＭＳ２ｂからフェムトＢＳ１ｂ（ＦＢＳ１）までの距離よりも大きいものとする。
【０１０７】
図１２（ａ）は、図１中、ＭＳ２ａの測定結果例を示している。このＭＳ２ａは、フェムトＢＳ１ｂ（ＦＢＳ１）のセル内に位置しているため、フェムトＢＳ１ｂ（ＦＢＳ１）の受信電力が大きく現れ、また、ＭＳ２ａは、マクロＢＳ１ａ（ＭＢＳ２）のマクロセルにも近いため、マクロＢＳ１ａ（ＭＢＳ２）の受信電力も検出される。
【０１０８】
図１２（ｂ）は、図１中、ＭＳ２ｂの測定結果例を示している。このＭＳ２ｂは、フェムトＢＳ１ｂ（ＦＢＳ１）のセル外に位置しているが、当該セルの近傍であるため、フェムトＢＳ１ｂ（ＦＢＳ１）の受信電力は、僅かに検出される。また、ＭＳ２ｂは、マクロＢＳ１ａ（ＭＢＳ２）までの距離が、ＭＳ２ａとほぼ同じであるため、マクロＢＳ１ａ（ＭＢＳ２）の受信電力は、ＭＳ２ａにおけるそれと同様の値（１０ｄＢ）が検出されている。
【０１０９】
図１２（ｃ）は、図１中、ＭＳ２ｃの測定結果例を示している。このＭＳ２ｃは、他のＭＳ２ａ、ＭＳ２ｂと比較して、フェムトＢＳ１ｂ（ＦＢＳ１）のセル、及びマクロＢＳ１ａ（ＭＢＳ２）のマクロセルから離れた位置に位置しているため、フェムトＢＳ１ｂ（ＦＢＳ１）の受信電力、及びマクロＢＳ１ａ（ＭＢＳ２）の受信電力は、共に検出されない。
【０１１０】
このように、各ＭＳ２が測定する各基地局装置１の受信電力は、各基地局装置１の送信電力にもよるが、大きければ大きいほどその対象の基地局装置１に近いことを意味しており、概ねそのＭＳ２と各基地局装置１との位置関係を示している。
よって、マクロＢＳ１ａは、各ＭＳ２が測定する各基地局装置１の受信電力を把握することで、各ＭＳ２それぞれが、当該各基地局装置１の下り信号による干渉を受ける可能性の有無を判断することができる。
【０１１１】
図１１に戻って、ステップＳ３０３にて各ＭＳ２が送信する各基地局装置１の受信電力の測定結果をマクロＢＳ１ａが受信すると、マクロＢＳ１ａは、この測定結果に基づいて、各ＭＳ２の中から、フェムトＢＳ１ｂ近傍に位置するＭＳ２を検出する（ステップＳ３０４）。
マクロＢＳ１ａは、例えば、ＭＳ２における周辺基地局装置の受信電力が、所定の閾値以上の場合に、その基地局装置の下り信号による干渉を受ける可能性がある程度にその周辺基地局装置の近傍に位置するＭＳ２であるものとして検出する。なお、このステップＳ３０４で行う検出処理では、他のマクロＢＳ１ａの受信電力については考慮しない。マクロ基地局装置同士の間では、干渉が生じるおそれは少ないからである。
【０１１２】
例えば、上記所定の閾値が１０ｄＢ以上であるとすると、図１２に示した測定結果では、ＭＳ２ａが、フェムトＢＳ１ｂ（ＦＢＳ１）の近傍に位置するＭＳ２として検出される。
【０１１３】
以上のようにして、マクロＢＳ１ａは、自装置１ａに接続するＭＳ２の中から、干渉を受けるおそれがある程度にフェムトＢＳ１ｂの近傍に位置するＭＳ２を検出する。
【０１１４】
図１０に戻って、ステップＳ２０１で自装置１ａに接続するＭＳ２の中から、フェムトＢＳ１ｂの近傍に位置しているＭＳ２としてＭＳ２ａが検出されると、マクロＢＳ１ａは、記憶部２５を参照することで、検出されたＭＳ２ａの近傍にあるフェムトＢＳ１ｂの同期状態を参照し、そのフェムトＢＳ１ｂが自装置１ａとの間で無線フレームのタイミング同期がとれているか否かを判断する。
マクロＢＳ１ａは、上述の干渉回避処理を行うために、フェムトＢＳ１ｂに対して要求する、干渉を回避するための前記空きリソースの態様を上記判断結果に応じて決定する（ステップＳ２０２）。
【０１１５】
なお、ステップＳ２０１において、フェムトＢＳ１ｂの近傍に位置しているＭＳ２が検出されない場合には、マクロＢＳ１ａは、以下の干渉回避処理については行わず、所定の期間を置いて、再度フェムトＢＳ１ｂの近傍に位置しているＭＳ２の検出を行う。
【０１１６】
次いで、マクロＢＳ１ａは、上記判断結果に応じて決定した空きリソースの態様を実現するための処理要求を生成し、フェムトＢＳ１ｂに送信する（ステップＳ２０３）。
【０１１７】
上記処理要求を受信したフェムトＢＳ１ｂは、当該処理要求に応じて、自装置１ｂの使用が禁止される範囲（空きリソース）以外のリソースの範囲で、自装置１ｂに接続するＭＳ２ｄに対するリソース割当を行う。これにより、フェムトＢＳ１ｂ側における干渉回避処理が行われる（ステップＳ２０４）。
【０１１８】
フェムトＢＳ１ｂは、上記のようにリソース割当を行うことで上記処理を行うと、マクロＢＳ１ａに対して、処理を実行した旨の通知を送信する（ステップＳ２０５）。
【０１１９】
マクロＢＳ１ａは、フェムトＢＳ１ｂからの前記通知を受信すると、フェムトＢＳ１ｂの使用が禁止される範囲のリソース（空きリソース）を、フェムトＢＳ１ｂの近傍に位置するＭＳ２として検出されたＭＳ２ａに割り当てる。これにより、マクロＢＳ１ａ側における干渉回避処理が行われる（ステップＳ２０６）。
この結果、フェムトＢＳ１ｂとの間で干渉のおそれがあるＭＳ２ａに割り当てられるリソースは、フェムトＢＳ１ｂによっては使用されないので、フェムトＢＳ１ｂとの間で干渉が生じるのを回避することができる。
なお、他のＭＳ２ｂ、ＭＳ２ｃについては、フェムトＢＳ１ｂとの間で干渉を生じる可能性が少ないので、他のリソースを割り当てることができる。
【０１２０】
ここで、ステップＳ２０２において、フェムトＢＳ１ｂが自装置１ａとの間で無線フレームのタイミング同期がとれていないと判断する場合、マクロＢＳ１ａは、フェムトＢＳ１ｂによる、周波数方向における一部の帯域幅に属するリソースの使用を禁止し、空きリソースが時間方向に連続的に存在する態様となるように決定する。マクロＢＳ１ａは、これに応じた処理要求をフェムトＢＳ１ｂに送信する。
【０１２１】
この場合、両基地局装置が行うリソース割当は、以下のようになる。
図１３（ａ）は、図１におけるマクロＢＳ１ａ（ＭＢＳ１）と、フェムトＢＳ１ｂ（ＦＢＳ１）との間で無線フレームのタイミング同期がとれていない場合における、両基地局装置が行うリソース割当の一例を示す図である。
図に示すように、フェムトＢＳ１ｂは、使用が禁止される一部の帯域幅以外のリソースを、自装置１ｂに接続するＭＳ２ｄに割り当てている。これにより、空きリソースが時間方向に連続して存在している。
【０１２２】
マクロＢＳ１ａは、上記空きリソースに対応する範囲のリソースを、フェムトＢＳ１ｂとの間で干渉のおそれがあるＭＳ２ａに割り当て、フェムトＢＳ１ｂとの間で干渉を生じる可能性が少ないＭＳ２ｂ、ＭＳ２ｃには、その他のリソースを割り当てている。
この場合、空きリソースは、時間方向に連続して存在しているので、マクロＢＳ１ａと、フェムトＢＳ１ｂとの間で無線フレームのタイミング同期がとれていなくとも、フェムトＢＳ１ｂに所定の帯域幅においてリソースの使用を禁止して空きリソースを設けさせることができ、互いの干渉を回避することができる。
【０１２３】
ただし、制御信号等が格納される制御領域（制御チャネル）が、各下りサブフレームの先頭かつ当該サブフレームの周波数全域に亘って配置されているので、マクロＢＳ１ａと、フェムトＢＳ１ｂとの間で、たとえ互いに異なる周波数帯域でリソース割り当てを行ったとしても、当該制御領域は、互いの使用周波数の全域で重複し干渉が生じるおそれがある。制御領域を用いて送信される制御信号が互いに干渉すれば、これを受信する端末装置は、サブフレームに含まれるユーザデータを含むデータ信号を正常に認識できないおそれがある。
さらに、データ信号についても、双方で互いに異なる周波数帯域にリソースを割り当てたとしても、時間領域でみると、両データ信号は互いに重複しているので、一方のデータ信号の受信電力が他方のデータ信号のそれよりも極端に小さければ、一方のデータ信号を正常に分離して受信することが困難となるおそれもある。
このように、使用するリソースを互いに周波数方向にずらす場合には、完全に両基地局装置間の干渉を抑制できないおそれがあるため、両基地局装置間で送信信号の電力を相対的に調整することが必要となる。
【０１２４】
一方、ステップＳ２０２において、フェムトＢＳ１ｂが自装置１ａとの間で無線フレームのタイミング同期がとれていると判断する場合、マクロＢＳ１ａは、フェムトＢＳ１ｂによる、時間方向における所定の範囲に属するリソースの使用を禁止し、空きリソースを所定の時間単位で確保して、空きリソースが時間方向に点在する態様となるように決定する。マクロＢＳ１ａは、これに応じた処理要求をフェムトＢＳ１ｂに送信する。
なお、この場合の処理要求は、例えば、空きリソースの確保をサブフレーム単位で行う場合、マクロＢＳ１ａの下り信号におけるサブフレーム番号等の時間方向の区間を特定可能なパラメータで指定することもできるし、フェムトＢＳ１ｂの下り信号におけるサブフレーム番号等の時間方向の区間を特定可能なパラメータで指定することもできる。マクロＢＳ１ａ及びフェムトＢＳ１ｂは、互いの無線フレーム間のオフセット量を認識しているので、処理要求のパラメータの基準は、予め定めておくことで、マクロＢＳ１ａ側及びフェムトＢＳ１ｂ側のどちらに設定してもよい。
【０１２５】
この場合、両基地局装置が行うリソース割当は、以下のようになる。
図１３（ｂ）は、図１におけるマクロＢＳ１ａ（ＭＢＳ１）と、フェムトＢＳ１ｂ（ＦＢＳ１）との間で無線フレームのタイミング同期がとれている場合における、両基地局装置が行うリソース割当の一例を示す図である。
図に示すように、フェムトＢＳ１ｂは、一つのサブフレームおきにその使用が禁止されており、使用が禁止されているサブフレーム以外のサブフレームを使用して自装置１ｂに接続するＭＳ２ｄにリソース割り当てを行っている。これにより、空きリソースがサブフレーム単位で時間方向に点在している。
【０１２６】
マクロＢＳ１ａは、上記空きリソースに対応する範囲のリソースを、フェムトＢＳ１ｂとの間で干渉のおそれがあるＭＳ２ａに割り当て、フェムトＢＳ１ｂとの間で干渉を生じる可能性が少ないＭＳ２ｂ、ＭＳ２ｃには、その他のリソースを割り当てている。
この場合、マクロＢＳ１ａと、フェムトＢＳ１ｂとの間で無線フレームのタイミング同期がとれているので、空きリソースを所定の時間単位で確保させて時間方向に点在するように設けさせることをフェムトＢＳ１ｂに要求でき、かつ、その時間方向に点在する空きリソースの範囲を特定できる。このため、マクロＢＳ１ａは、空きリソースに対応するリソースを、フェムトＢＳ１ｂとの間で干渉のおそれがあるＭＳ２ａに割り当てることができ、互いの干渉を回避することができる。
【０１２７】
また、図１３（ｂ）のように、空きリソースを所定の時間単位で確保することで、互いに使用するリソースを時間方向で重ならないようにする場合、時間領域での両データ信号の重複は生じえない。また、制御信号についても、リソースが割り当てられていない時間のサブフレームの制御領域には、実質的な制御信号は割り当てられないため、他方の制御信号に干渉を与えるのを抑制することができる。
【０１２８】
このように、自装置１ａとフェムトＢＳ１ｂとの間で無線フレームのタイミング同期がとれていれば、マクロＢＳ１ａは、時間方向におけるリソースの重複を回避でき、周波数方向でリソースの重複を回避する場合に生じる時間方向における制御信号やデータ信号の重複といった問題を解消することができる。
以上のように、マクロＢＳ１ａは、同期情報による同期がとれているか否かの判断に応じた処理要求を送信するので、他の基地局装置であるフェムトＢＳ１ｂにおける同期状態に応じた適切な干渉回避処理を実行することができる。
【０１２９】
［７．２  間接管理モードであるフェムト基地局装置との間の干渉回避処理］
図１４は、マクロＢＳ１ａが、間接管理モードに設定されたフェムトＢＳ１ｂとの間で行う干渉回避処理に関する処理手順を示す図である。図１４においても、図１中のマクロＢＳ１ａ（ＭＢＳ１）のマクロセルＭＣ内に、フェムトＢＳ１ｂ（ＦＢＳ１）を設置した場合について説明する。
【０１３０】
マクロＢＳ１ａは、自装置１ａに接続するＭＳ２の中から、干渉を受けるおそれがある程度にフェムトＢＳ１ｂの近傍に位置しているＭＳ２が存在しているか否かを検出する（ステップＳ２１１）。このステップＳ２１１の処理は、図１０中ステップＳ２０１と同様である。
【０１３１】
ステップＳ２１１で自装置に接続するＭＳ２の中から、フェムトＢＳ１ｂの近傍に位置しているＭＳ２としてＭＳ２ａが検出されると、マクロＢＳ１ａは、干渉回避処理の実行要求を管理サーバ８に送信する（ステップＳ２１２）。なお、この干渉回避処理の実行要求は、要求元であるマクロＢＳ１ａのセルＩＤ、及び、干渉対象であるフェムトＢＳ１ｂのセルＩＤを含んでおり、管理サーバ８は、これらセルＩＤによって、実行要求の要求元であるマクロＢＳ１ａ（ＭＢＳ１）及び干渉対象であるフェムトＢＳ１ｂ（ＦＢＳ１）を認識することができる。
【０１３２】
なお、ステップＳ２１１において、フェムトＢＳ１ｂの近傍に位置しているＭＳ２が検出されない場合には、マクロＢＳ１ａは、前記実行要求の送信は行わず、所定の期間を置いて、再度フェムトＢＳ１ｂの近傍に位置しているＭＳ２の検出を行う。
【０１３３】
干渉回避処理の実行要求を受信した管理サーバ８は、自装置８の管理リストを参照し、要求元のマクロＢＳ１ａと、干渉対象のフェムトＢＳ１ｂとの間で無線フレームのタイミング同期がとれているか否かを判断する。
管理サーバ８は、干渉回避処理を行うために、フェムトＢＳ１ｂに対して要求する、干渉を回避すべくマクロＢＳ１ａのために設ける空きリソースの態様を、無線フレームのタイミング同期がとれているか否かの判断結果に応じて決定する（ステップＳ２１３）。
【０１３４】
次いで、管理サーバ８は、上記判断結果に応じて決定した空きリソースの態様を実現するための処理要求を生成し、マクロＢＳ１ａ及びフェムトＢＳ１ｂに送信する（ステップＳ２１４）。
【０１３５】
上記処理要求を受信したフェムトＢＳ１ｂは、当該処理要求に応じて、自装置１ｂの使用が禁止される範囲（空きリソース）以外のリソースの範囲で、自装置１ｂに接続するＭＳ２ｄに対するリソース割当を行う。これにより、フェムトＢＳ１ｂ側における干渉回避処理が行われる（ステップＳ２１５）。
【０１３６】
一方、同様に処理要求を受信したマクロＢＳ１ａは、前記処理要求に応じて、フェムトＢＳ１ｂの使用が禁止される範囲のリソース（空きリソース）を、フェムトＢＳ１ｂの近傍に位置するＭＳ２として検出されたＭＳ２ａに割り当てる。これにより、マクロＢＳ１ａ側における干渉回避処理が行われる（ステップＳ２１６）。
【０１３７】
マクロＢＳ１ａ及びフェムトＢＳ１ｂは、上記のようにリソース割当を行うことで干渉回避処理を行うと、管理サーバ８に対して、処理を実行した旨の通知を送信する（ステップＳ２１７，Ｓ２１８）。
マクロＢＳ１ａ及びフェムトＢＳ１ｂから処理を実行した旨の通知を受信した管理サーバ８は、マクロＢＳ１ａに対して干渉回避処理が完了した旨の通知を送信する（ステップＳ２１９）。当該通知を受信したマクロＢＳ１ａは、要求したフェムトＢＳ１ｂとの間の干渉回避処理が完了したことを認識する。
【０１３８】
この結果、フェムトＢＳ１ｂとの間で干渉のおそれがあるＭＳ２ａに割り当てられるリソースは、フェムトＢＳ１ｂによっては使用されないので、フェムトＢＳ１ｂとの間で干渉が生じるのを回避することができる。
【０１３９】
以上のように、管理サーバ８は、マクロＢＳ１ａと同様に、同期情報による同期がとれているか否かの判断に応じた処理要求を送信するので、他の基地局装置であるフェムトＢＳ１ｂにおける同期状態に応じた適切な干渉回避処理を実行することができる。
【０１４０】
また、本実施形態では、フェムトＢＳ１ｂに対する干渉回避処理について、管理部２７が選択した当該フェムトＢＳ１ｂの同期情報を管理する自装置１ａ、又は、管理サーバ８のいずれかによって行われるので、干渉回避処理に関する処理負担を分散させることができる。この結果、過大な処理負荷が自装置１ａに作用するのを抑制することができる。
【０１４１】
なお、本発明は、上記実施形態に限定されるものではない。上記実施形態において、マクロＢＳ１ａの管理部２７は、図５中のステップＳ４において、管理サーバ８に優先的に選択するように構成したが、例えば、自装置１ａによる管理を優先させ、自装置１ａによる管理ができなくなった段階で、管理サーバ８を選択するようにしてもよいし、自装置１ａの管理部２７及び管理サーバ８それぞれの処理能力の相対的な比率に応じて、両者に割り振るように選択することもできる。
【０１４２】
また、図１３（ｂ）において、フェムトＢＳ１ｂが、サブフレーム単位で空きリソースを設ける場合を示したが、空きリソースは、無線フレーム単位や、サブフレームを構成するスロット単位、リソースブロック単位で設けてもよい。
【０１４３】
なお、今回開示された実施の形態はすべての点で例示であって制限的なものではないと考えられるべきである。
上記実施形態では、ＬＴＥが適用された携帯電話用のシステムに本発明を適用した場合を例示したが、通信方式は、ＬＴＥに限られるものではない。
本発明の範囲は、上記した意味ではなく、特許請求の範囲によって示され、特許請求の範囲と均等の意味、及び範囲内でのすべての変更が含まれることが意図される。
【符号の説明】
【０１４４】
１      基地局装置
１ａ    マクロ基地局装置（管理装置）
１ｂ    フェムト基地局装置
２      端末装置
８      管理サーバ（管理装置）
２４    制御部（干渉制御部）
２７    管理部（選択部）
２８    送受信部
【図１】
2012080509.tif 000003
【図２】
2012080509.tif 000004
【図３】
2012080509.tif 000005
【図４】
2012080509.tif 000006
【図５】
2012080509.tif 000007
【図６】
2012080509.tif 000008
【図７】
2012080509.tif 000009
【図８】
2012080509.tif 000010
【図９】
2012080509.tif 000011
【図１０】
2012080509.tif 000012
【図１１】
2012080509.tif 000013
【図１２】
2012080509.tif 000014
【図１３】
2012080509.tif 000015
【図１４】
2012080509.tif 000016